(57)【要約】【課題】イベント会場での雰囲気やその進行状況を考慮して、イベントでの演出効果を高め、イベントに参加している人とイベントに参加できない人との間に一体感を感じ得ることが出来るようにメッセージの編集を支援する仕組みを提供する。【解決手段】メッセージ編集支援装置１０は、イベント主催者端末３０からイベント開催申込み情報を受信すると共に、参加者端末５０からメッセージを受信する。また、メッセージ編集支援装置は、上記メッセージの閲覧要求をイベント主催者端末から受信し、イベント識別情報に基づき抽出したメッセージをイベント主催者端末へ送信する。引き続きメッセージ編集支援装置は、公開可否情報を含むメッセージ公開情報を上記イベント主催者端末から受信し、公開可能なメッセージだけを抽出して編集する。その後、メッセージ編集支援装置は、編集したメッセージだけを記憶する。【選択図】図１
2008015588.tif 000002
【特許請求の範囲】
【請求項１】
イベントの開催を申し込む主催者が利用するイベント主催者端末と、イベントに対してメッセージを送信するメッセージ送信者が利用する参加者端末のそれぞれと通信ネットワークを介して接続し、イベントに対するメッセージを受け付けると共に、このメッセージを公開用に編集することを支援する装置であって、
主催者識別情報を含むイベント開催申込み情報を上記イベント主催者端末から受信し、イベントを識別するためのイベント識別情報と共に、このイベントに対するメッセージを受け付けるための電子メールアドレスを発行し、上記イベント識別情報と上記電子メールアドレスを上記イベント主催者端末へ送信するイベント情報受付手段と、
上記イベント情報受付手段にて受信したイベント開催申込み情報に、上記イベント識別情報と上記電子メールアドレスとを関連付けて記憶するイベント情報記憶手段と、
上記電子メールアドレス宛のメッセージを上記参加者端末から受信し、受信したメッセージに対してメッセージ識別情報を付与し、上記イベント情報記憶手段を参照して上記電子メールアドレスに基づき当該イベント識別情報を特定するメッセージ受付手段と、
上記メッセージ受付手段にて受信したメッセージと、上記メッセージ識別情報、上記イベント識別情報、及び上記メッセージ送信者の電子メールアドレスとを関連付けて記憶するメッセージ情報記憶手段と、
上記イベント識別情報、及び上記主催者識別情報を伴い、このイベントに対して受け付けられたメッセージの閲覧要求を上記イベント主催者端末から受信し、上記メッセージ情報記憶手段を参照して上記イベント識別情報に基づき当該イベントに対して受け付けたメッセージを抽出し、抽出したメッセージを閲覧可能なように上記イベント主催者端末へ送信するメッセージ閲覧要求受付手段と、
上記抽出したメッセージの送信に応じ、上記メッセージ識別情報に対応付けて指定された公開可否情報を少なくとも含むメッセージ公開情報を上記イベント主催者端末から受信し、公開可能なメッセージだけを抽出して編集する公開用メッセージ編集手段と、
上記編集したメッセージだけをメッセージ識別情報に関連付けて記憶する公開メッセージ記憶手段と、
を少なくとも有することを特徴とするメッセージ編集支援装置。
【請求項２】
上記公開用メッセージ編集手段は、上記メッセージ公開情報として、さらに公開順序情報を上記イベント主催者端末から受信し、抽出したメッセージを公開順序情報に基づき並び替えることを特徴とする請求項１に記載のメッセージ編集支援装置。
【請求項３】
上記イベント情報記憶手段には、予めイベント情報に関連付けてパスワードが記憶されており、
上記メッセージ閲覧要求受付手段は、上記主催者識別情報としてパスワードを受信し、上記イベント情報記憶手段に記憶されているパスワードと照合した結果、上記パスワードが一致した場合に、メッセージの抽出を行なうことを特徴とする請求項１又は２に記載のメッセージ編集支援装置。
【請求項４】
上記メッセージ受付手段は、上記電子メールアドレス宛のメッセージ送信要求を上記参加者端末から受信したことに応じ、所定の様式でメッセージを受け付けるメッセージ受付用フォームを上記参加者端末へ送信し、このメッセージ受付用フォームに入力されたメッセージを上記参加者端末から受信することを特徴とする請求項１乃至３の何れかに記載のメッセージ編集支援装置。
【請求項５】
上記メッセージ送信要求は、上記参加者端末から受信した電子メールのボディ領域にメッセージが入力されていない空メールであることを特徴とする請求項４に記載のメッセージ編集支援装置。
【請求項６】
上記公開用メッセージ編集手段は、公開可能なメッセージの編集に応じ、上記メッセージ情報記憶手段を参照して上記メッセージ識別情報に基づき参加者の電子メールアドレスを特定し、編集したメッセージが閲覧できる旨の通知と共に、メッセージ閲覧許可情報を上記参加者の電子メールアドレスに対して送信し、
上記メッセージ閲覧要求受付手段は、上記メッセージ閲覧許可情報を伴うメッセージ閲覧要求を上記参加者端末から受信し、上記公開メッセージ記憶手段を参照して編集したメッセージを閲覧可能なように上記参加者端末へ送信することを特徴とする請求項１乃至５の何れかに記載のメッセージ編集支援装置。
【請求項７】
上記メッセージ受付手段は、上記参加者端末からのメッセージの受信に応じて、上記メッセージ識別情報を上記参加者端末へ送信し、
上記装置は、メッセージをイベント会場にて上映する上映装置と、イベントの様子を撮影する撮像装置のそれぞれと通信ネットワークを介してさらに接続され、
上記メッセージをイベント会場にて上映した時刻情報を、メッセージ識別情報と共に上記上映装置から受信するメッセージ上映情報受付手段と、
上記メッセージ上映情報受付手段にて受信したメッセージ識別情報と時刻情報とを関連付けて記憶するメッセージ上映情報記憶手段と、
上記イベントの様子を撮影したイベント画像情報を、撮影した時刻情報と共に上記撮像装置から受信するイベント画像受付手段と、
上記イベント画像受付手段にて受信したイベント画像情報と時刻情報とを関連付けて記憶するイベント画像情報記憶手段と、
イベント終了後、上記メッセージ識別情報を伴うイベント画像閲覧要求を上記参加者端末から受信し、上記メッセージ上映情報記憶手段を参照して上記メッセージ識別情報に基づき時刻情報を特定し、さらに、イベント画像情報記憶手段を参照して上記時刻情報に基づきイベント画像情報を選択し、選択したイベント画像情報を閲覧可能なように上記参加者端末へ送信するイベント画像閲覧要求受付手段と、
をさらに有することを特徴とする請求項１乃至６の何れかに記載のメッセージ編集支援装置。
【請求項８】
イベントの開催を申し込む主催者が利用するイベント主催者端末と、イベントに対してメッセージを送信するメッセージ送信者が利用する参加者端末のそれぞれと通信ネットワークを介して接続し、イベントに対するメッセージを受け付けると共に、このメッセージを公開用に編集することを支援する方法であって、
イベント情報受付手段が、主催者識別情報を含むイベント開催申込み情報を上記イベント主催者端末から受信し、イベントを識別するためのイベント識別情報と共に、このイベントに対するメッセージを受け付けるための電子メールアドレスを発行し、上記イベント識別情報と上記電子メールアドレスを上記イベント主催者端末へ送信するステップと、
イベント情報記憶手段が、上記イベント情報受付手段にて受信したイベント開催申込み情報に、上記イベント識別情報と上記電子メールアドレスとを関連付けて記憶するステップと、
メッセージ受付手段が、上記電子メールアドレス宛のメッセージを上記参加者端末から受信し、受信したメッセージに対してメッセージ識別情報を付与し、上記イベント情報記憶手段を参照して上記電子メールアドレスに基づき当該イベント識別情報を特定するステップと、
メッセージ情報記憶手段が、上記メッセージ受付手段にて受信したメッセージと、上記メッセージ識別情報、上記イベント識別情報、及び上記メッセージ送信者の電子メールアドレスとを関連付けて記憶するステップと、
メッセージ閲覧要求受付手段が、上記イベント識別情報、及び上記主催者識別情報を伴い、このイベントに対して受け付けられたメッセージの閲覧要求を上記イベント主催者端末から受信し、上記メッセージ情報記憶手段を参照して上記イベント識別情報に基づき当該イベントに対して受け付けたメッセージを抽出し、抽出したメッセージを閲覧可能なように上記イベント主催者端末へ送信するステップと、
公開用メッセージ編集手段が、上記抽出したメッセージの送信に応じ、上記メッセージ識別情報に対応付けて指定された公開可否情報を少なくとも含むメッセージ公開情報を上記イベント主催者端末から受信し、公開可能なメッセージだけを抽出して編集するステップと、
公開メッセージ記憶手段が、上記編集したメッセージだけをメッセージ識別情報に関連付けて記憶するステップと、
を少なくとも有することを特徴とするメッセージ編集支援方法。
【請求項９】
イベントの開催を申し込む主催者が利用するイベント主催者端末と、イベントに対してメッセージを送信するメッセージ送信者が利用する参加者端末のそれぞれと通信ネットワークを介して接続し、イベントに対するメッセージを受け付けると共に、このメッセージを公開用に編集することを支援することを実行させるためにコンピュータを、
主催者識別情報を含むイベント開催申込み情報を上記イベント主催者端末から受信し、イベントを識別するためのイベント識別情報と共に、このイベントに対するメッセージを受け付けるための電子メールアドレスを発行し、上記イベント識別情報と上記電子メールアドレスを上記イベント主催者端末へ送信する手段、
上記イベント情報受付手段にて受信したイベント開催申込み情報に、上記イベント識別情報と上記電子メールアドレスとを関連付けて記憶する手段、
上記電子メールアドレス宛のメッセージを上記参加者端末から受信し、受信したメッセージに対してメッセージ識別情報を付与し、上記イベント情報記憶手段を参照して上記電子メールアドレスに基づき当該イベント識別情報を特定する手段、
上記メッセージ受付手段にて受信したメッセージと、上記メッセージ識別情報、上記イベント識別情報、及び上記メッセージ送信者の電子メールアドレスとを関連付けて記憶する手段と、
上記イベント識別情報、及び上記主催者識別情報と共に、このイベントに対して受け付けられたメッセージの閲覧要求を上記イベント主催者端末から受信し、上記メッセージ情報記憶手段を参照して上記イベント識別情報に基づき当該イベントに対して受け付けたメッセージを抽出し、抽出したメッセージを閲覧可能なように上記イベント主催者端末へ送信する手段、
上記抽出したメッセージの送信に応じ、上記メッセージ識別情報に対応付けて指定された公開可否情報を少なくとも含むメッセージ公開情報を上記イベント主催者端末から受信し、公開可能なメッセージだけを抽出して編集する手段と、
上記編集したメッセージだけをメッセージ識別情報に関連付けて記憶する手段、
として機能させるためのプログラム。
【発明の詳細な説明】
【技術分野】
【０００１】
本発明は、通信ネットワークを介して受付けたメッセージをイベント会場等で公開する場合において、イベントでの演出効果を高めるようにメッセージの編集を支援するようにしたメッセージ編集支援装置と方法、及びプログラムに関するものである。
【背景技術】
【０００２】
近年、結婚式や祝賀会等のイベントにおいて、イベントに参加できない人やイベントに呼べなかった人、イベントに行けなかった人達から通信ネットワークを介してメッセージを受付け、これをイベント会場に設置したスクリーンやディスプレイに表示したり、ウェブ上に設けた専用ページ等で広く公開（紹介）したりするようにした様々なシステムの提案がなされている（たとえば、特許文献１乃至５参照）。
【０００３】
しかしながら、上述の手段は何れも、受付けたメッセージをそのまま表示等するものであるため、イベントでの演出効果に欠ける感があった。すなわち、例えば、単に受付けたメッセージを受付け順に表示するだけのものであると、その場の雰囲気やイベントの進行にそぐわない内容のメッセージが開示されてしまうことがある。
【０００４】
また、イベントに参加できない人からメッセージを受付け、イベント会場等でメッセージを開示するのは、主役の交友関係や人柄をイベントに参加している人へ伝えることで、イベントに参加できない人も含めてイベントを盛り上げることを意図しているものであるが順番や時間を考慮せずに、受付けたメッセージを受付け順に表示するだけでは、イベントに参加している人とイベントに参加できない人との間に一体感を感じ得ることができない。
【特許文献１】特開平１０−３０８７７２号公報
【特許文献２】特開２００１−３３１５９４号公報
【特許文献３】特開２００２−２０３０５９号公報
【特許文献４】特開２００３−１６２５９２号公報
【特許文献５】特開２００６−１４２５１号公報
【発明の開示】
【発明が解決しようとする課題】
【０００５】
本発明は、上記の事情に基づきなされたもので、その目的とするところは、イベント会場での雰囲気やその進行状況を考慮して、イベントでの演出効果を高め、イベントに参加している人とイベントに参加できない人との間に一体感を感じ得ることが出来るようにメッセージの編集を支援する仕組みを提供することにある。
【課題を解決するための手段】
【０００６】
本発明の請求項１に記載のメッセージ編集支援装置は、イベントの開催を申し込む主催者が利用するイベント主催者端末と、イベントに対してメッセージを送信するメッセージ送信者が利用する参加者端末のそれぞれと通信ネットワークを介して接続し、イベントに対するメッセージを受け付けると共に、このメッセージを公開用に編集することを支援する装置であって、主催者識別情報を含むイベント開催申込み情報を上記イベント主催者端末から受信し、イベントを識別するためのイベント識別情報と共に、このイベントに対するメッセージを受け付けるための電子メールアドレスを発行し、上記イベント識別情報と上記電子メールアドレスを上記イベント主催者端末へ送信するイベント情報受付手段と、上記イベント情報受付手段にて受信したイベント開催申込み情報に、上記イベント識別情報と上記電子メールアドレスとを関連付けて記憶するイベント情報記憶手段と、上記電子メールアドレス宛のメッセージを上記参加者端末から受信し、受信したメッセージに対してメッセージ識別情報を付与し、上記イベント情報記憶手段を参照して上記電子メールアドレスに基づき当該イベント識別情報を特定するメッセージ受付手段と、上記メッセージ受付手段にて受信したメッセージと、上記メッセージ識別情報、上記イベント識別情報、及び上記メッセージ送信者の電子メールアドレスとを関連付けて記憶するメッセージ情報記憶手段と、上記イベント識別情報、及び上記主催者識別情報を伴い、このイベントに対して受け付けられたメッセージの閲覧要求を上記イベント主催者端末から受信し、上記メッセージ情報記憶手段を参照して上記イベント識別情報に基づき当該イベントに対して受け付けたメッセージを抽出し、抽出したメッセージを閲覧可能なように上記イベント主催者端末へ送信するメッセージ閲覧要求受付手段と、上記抽出したメッセージの送信に応じ、上記メッセージ識別情報に対応付けて指定された公開可否情報を少なくとも含むメッセージ公開情報を上記イベント主催者端末から受信し、公開可能なメッセージだけを抽出して編集する公開用メッセージ編集手段と、上記編集したメッセージだけをメッセージ識別情報に関連付けて記憶する公開メッセージ記憶手段と、を少なくとも有することを特徴とする。
【０００７】
このイベントとは、結婚披露宴や祝賀会、同窓会、送別会、誕生会、告別式等の慶弔催事をいう。また、参加者端末を利用するメッセージ送信者とは、何らかの理由でイベントに参加できない人は勿論のこと、実際にイベントに参加している人も含むものである。さらに、主催者識別情報とは、個々の主催者を特定できる情報をいい、たとえば、主催者に対して予め付与されたいわゆるＩＤのほか、主催者の氏名や電話番号、電子メールアドレス等、主催者の属性情報を含むものである。
【０００８】
また、本発明の請求項２に記載のメッセージ編集支援装置は、本発明の請求項１記載のメッセージ編集支援装置において、上記公開用メッセージ編集手段は、上記メッセージ公開情報として、さらに公開順序情報を上記イベント主催者端末から受信し、抽出したメッセージを公開順序情報に基づき並び替えることを特徴とする。
【０００９】
また、本発明の請求項３に記載のメッセージ編集支援装置は、本発明の請求項１又は２記載のメッセージ編集支援装置において、上記イベント情報記憶手段には、予めイベント情報に関連付けてパスワードが記憶されており、上記メッセージ閲覧要求受付手段は、上記主催者識別情報としてパスワードを受信し、上記イベント情報記憶手段に記憶されているパスワードと照合した結果、上記パスワードが一致した場合に、メッセージの抽出を行なうことを特徴とする。
【００１０】
また、本発明の請求項４に記載のメッセージ編集支援装置は、本発明の請求項１から３の何れかに記載のメッセージ編集支援装置において、上記メッセージ受付手段は、上記電子メールアドレス宛のメッセージ送信要求を上記参加者端末から受信したことに応じ、所定の様式でメッセージを受け付けるメッセージ受付用フォームを上記参加者端末へ送信し、このメッセージ受付用フォームに入力されたメッセージを上記参加者端末から受信することを特徴とする。
【００１１】
また、本発明の請求項５に記載のメッセージ編集支援装置は、本発明の請求項４に記載のメッセージ編集支援装置において、上記メッセージ送信要求は、上記参加者端末から受信した電子メールのボディ領域にメッセージが入力されていない空メールであることを特徴とする。
【００１２】
また、本発明の請求項６に記載のメッセージ編集支援装置は、本発明の請求項１から５の何れかに記載のメッセージ編集支援装置において、上記公開用メッセージ編集手段は、公開可能なメッセージの編集に応じ、上記メッセージ情報記憶手段を参照して上記メッセージ識別情報に基づき参加者の電子メールアドレスを特定し、編集したメッセージが閲覧できる旨の通知と共に、メッセージ閲覧許可情報を上記参加者の電子メールアドレスに対して送信し、上記メッセージ閲覧要求受付手段は、上記メッセージ閲覧許可情報を伴うメッセージ閲覧要求を上記参加者端末から受信し、上記公開メッセージ記憶手段を参照して編集したメッセージを閲覧可能なように上記参加者端末へ送信することを特徴とする。
【００１３】
また、本発明の請求項７に記載のメッセージ編集支援装置は、本発明の請求項１から６の何れかに記載のメッセージ編集支援装置において、上記装置は、メッセージをイベント会場にて上映する上映装置と、イベントの様子を撮影する撮像装置のそれぞれと通信ネットワークを介してさらに接続され、上記メッセージをイベント会場にて上映した時刻情報を、メッセージ識別情報と共に上記上映装置から受信するメッセージ上映情報受付手段と、上記メッセージ上映情報受付手段にて受信したメッセージ識別情報と時刻情報とを関連付けて記憶するメッセージ上映情報記憶手段と、上記イベントの様子を撮影したイベント画像情報を、撮影した時刻情報と共に上記撮像装置から受信するイベント画像受付手段と、上記イベント画像受付手段にて受信したイベント画像情報と時刻情報とを関連付けて記憶するイベント画像情報記憶手段と、をさらに有し、上記メッセージ受付手段は、上記参加者端末からのメッセージの受信に応じて、上記メッセージ識別情報を上記参加者端末へ送信し、上記メッセージ閲覧要求受付手段は、イベント終了後、上記メッセージ識別情報を伴うイベント画像閲覧要求を上記参加者端末から受信し、上記メッセージ上映情報記憶手段を参照して上記メッセージ識別情報に基づき時刻情報を特定し、さらに、イベント画像情報記憶手段を参照して上記時刻情報に基づきイベント画像情報を選択し、選択したイベント画像情報を閲覧可能なように上記参加者端末へ送信することを特徴とする。
【００１４】
また、本発明の請求項８に記載のメッセージ編集支援方法は、イベントの開催を申し込む主催者が利用するイベント主催者端末と、イベントに対してメッセージを送信するメッセージ送信者が利用する参加者端末のそれぞれと通信ネットワークを介して接続し、イベントに対するメッセージを受け付けると共に、このメッセージを公開用に編集することを支援する方法であって、イベント情報受付手段が、主催者識別情報を含むイベント開催申込み情報を上記イベント主催者端末から受信し、イベントを識別するためのイベント識別情報と共に、このイベントに対するメッセージを受け付けるための電子メールアドレスを発行し、上記イベント識別情報と上記電子メールアドレスを上記イベント主催者端末へ送信するステップと、イベント情報記憶手段が、上記イベント情報受付手段にて受信したイベント開催申込み情報に、上記イベント識別情報と上記電子メールアドレスとを関連付けて記憶するステップと、メッセージ受付手段が、上記電子メールアドレス宛のメッセージを上記参加者端末から受信し、受信したメッセージに対してメッセージ識別情報を付与し、上記イベント情報記憶手段を参照して上記電子メールアドレスに基づき当該イベント識別情報を特定するステップと、メッセージ情報記憶手段が、上記メッセージ受付手段にて受信したメッセージと、上記メッセージ識別情報、上記イベント識別情報、及び上記メッセージ送信者の電子メールアドレスとを関連付けて記憶するステップと、メッセージ閲覧要求受付手段が、上記イベント識別情報、及び上記主催者識別情報を伴い、このイベントに対して受け付けられたメッセージの閲覧要求を上記イベント主催者端末から受信し、上記メッセージ情報記憶手段を参照して上記イベント識別情報に基づき当該イベントに対して受け付けたメッセージを抽出し、抽出したメッセージを閲覧可能なように上記イベント主催者端末へ送信するステップと、公開用メッセージ編集手段が、上記抽出したメッセージの送信に応じ、上記メッセージ識別情報に対応付けて指定された公開可否情報を少なくとも含むメッセージ公開情報を上記イベント主催者端末から受信し、公開可能なメッセージだけを抽出して編集するステップと、公開メッセージ記憶手段が、上記編集したメッセージだけをメッセージ識別情報に関連付けて記憶するステップと、を少なくとも有することを特徴とする。
【００１５】
また、上述した各装置では、例えば以下に記載のプログラムを具備する。すなわち、本発明の請求項９に記載のメッセージ編集支援プログラムは、イベントの開催を申し込む主催者が利用するイベント主催者端末と、イベントに対してメッセージを送信するメッセージ送信者が利用する参加者端末のそれぞれと通信ネットワークを介して接続し、イベントに対するメッセージを受け付けると共に、このメッセージを公開用に編集することを支援することを実行させるためにコンピュータを、主催者識別情報を含むイベント開催申込み情報を上記イベント主催者端末から受信し、イベントを識別するためのイベント識別情報と共に、このイベントに対するメッセージを受け付けるための電子メールアドレスを発行し、上記イベント識別情報と上記電子メールアドレスを上記イベント主催者端末へ送信する手段、上記イベント情報受付手段にて受信したイベント開催申込み情報に、上記イベント識別情報と上記電子メールアドレスとを関連付けて記憶する手段、上記電子メールアドレス宛のメッセージを上記参加者端末から受信し、受信したメッセージに対してメッセージ識別情報を付与し、上記イベント情報記憶手段を参照して上記電子メールアドレスに基づき当該イベント識別情報を特定する手段、上記メッセージ受付手段にて受信したメッセージと、上記メッセージ識別情報、上記イベント識別情報、及び上記メッセージ送信者の電子メールアドレスとを関連付けて記憶する手段と、上記イベント識別情報、及び上記主催者識別情報と共に、このイベントに対して受け付けられたメッセージの閲覧要求を上記イベント主催者端末から受信し、上記メッセージ情報記憶手段を参照して上記イベント識別情報に基づき当該イベントに対して受け付けたメッセージを抽出し、抽出したメッセージを閲覧可能なように上記イベント主催者端末へ送信する手段、上記抽出したメッセージの送信に応じ、上記メッセージ識別情報に対応付けて指定された公開可否情報を少なくとも含むメッセージ公開情報を上記イベント主催者端末から受信し、公開可能なメッセージだけを抽出して編集する手段と、上記編集したメッセージだけをメッセージ識別情報に関連付けて記憶する手段、として機能させることを特徴とする。
【発明の効果】
【００１６】
本発明によれば、イベント開催申込み情報の受付けに伴って当該イベントに対応する専用の電子メールアドレスが発行されるので、当該電子メールアドレス宛へメッセージを送信することで、煩雑な作業を要することなく簡単かつ確実に、メッセージを受取人ごとに仕分けることができる。しかも、メッセージの受付け後、イベント会場での公開前にメッセージを閲覧し、内容をチェックして公開可否を決定するので、イベントの雰囲気にそぐわず、イベントの進行に支障があるような批判メッセージやいたずらメッセージ、無関係な人からの誤メッセージ等を事前に公開しないように編集することができる。ゆえに、イベント会場での雰囲気を壊すことなく、参加者等の気持ちに配慮した演出が行なわれることとなる。この際、メッセージの閲覧は、イベント開催申込みに応じて付与された、上記電子メールアドレスと関連付けられているイベント識別情報と主催者識別情報に基づいて認証し、その閲覧を許可するものであるので、他人宛のメッセージを誤って閲覧してしまうことも無い。
したがって、イベント会場での雰囲気やその進行状況を考慮して、イベントでの演出効果を高め、イベントに参加している人とイベントに参加できない人との間に一体感を感じ得ることが出来るようにメッセージの編集を支援する仕組みを提供することができる。
【発明を実施するための最良の形態】
【００１７】
以下、本発明の一実施形態を、図面に基づき説明する。
図１は、本発明の実施形態に係るメッセージ編集支援方法（以下、「本方法」という）を実施するためのシステムの一例を概略的に示す全体構成図である。
【００１８】
図１に示すように、本実施形態におけるメッセージ編集支援システム（以下、「本システム」という）は、イベントの開催を申し込む主催者が利用するイベント主催者端末３０と、上記イベントに対してメッセージを送信するメッセージ送信者が利用する参加者端末５０と、これらイベント主催者端末３０と参加者端末５０とネットワークＮＷを通じて通信可能に接続されたメッセージ編集支援装置（以下、「本サーバ」という）１０とを備えている。また、本サーバ１０は、上記メッセージをイベント会場にて上映する上映装置７０と、上記イベントの様子を撮影する撮像装置９０のそれぞれと通信ネットワークＮＷを介してさらに接続されたものでもある。
【００１９】
また、本サーバ１０は、イベント主催者端末３０、参加者端末５０、上映装置７０及び撮像装置９０とインターネット接続を含む有線電話回線、無線電話回線、ＣＡＴＶ（cable television）回線、その他の通信回線網などのネットワークＮＷを介して情報の授受が可能に構成されている。
【００２０】
次に、本システムの概要と構成について説明する。
図２は、本発明に係る本サーバ１０の構成を簡略的に示すブロック図である。
まず、本サーバ１０は、図２に示すように、少なくともイベント情報受付部１１と、メッセージ受付部１２と、メッセージ閲覧要求受付部１３と、公開用メッセージ編集部１４と、イベント情報記憶部１５と、メッセージ情報記憶部１６と、公開メッセージ記憶部１７と、から基本的に構成されている。まず、本サーバ１０は、メッセージ上映情報受付部２１と、イベント画像受付部２２と、メッセージ上映情報記憶部２３と、イベント画像情報記憶部２４と、イベント画像閲覧要求受付部２５と、をさらに備えている。
【００２１】
また、本サーバ１０は、図示しないが、ＣＰＵ（中央処理装置）とプログラム記憶部、及び操作部、表示部を有する。ＣＰＵは、プログラム記憶部に記憶されたプログラムに従い、本サーバ１０の各構成要素を統制制御し、プログラム処理を実行する。プログラム記憶部は、ＲＯＭ（Read Only Memory）やＲＡＭ（Random Access Memory）等で構成され、本サーバ１０が使用する各種プログラムを記憶している。ＲＡＭは、各種記憶部に記憶される複数の情報を受け付ける処理などを施す際に、バッファメモリとして機能するようにしても良い。
【００２２】
本システムでは、上記構成により基本的に以下のように実施される。
まず、イベント主催者端末３０が、主催者識別情報を含むイベント開催申込み情報を本サーバ１０へ送信する。この際、主催者識別情報は、主催者が本システムを利用するため事前に、氏名、住所、連絡先（電話番号、ファクシミリ番号等もしくは電子メールアドレス）、及びパスワードといった個人を特定することが可能な所定の属性情報の登録を済ませ、固有のＩＤ（以下、「主催者ＩＤ」という。）が付与された場合は主催者ＩＤ又はパスワード、未だ登録が済んでいない場合は上記属性情報をいう。
そして、本サーバ１０は、イベント開催申込み情報を受信し、これに応じてイベント識別情報（以下、「イベントＩＤ」という。）と、専用の電子メールアドレスを発行して、イベント開催申込み情報に、上記イベントＩＤと上記電子メールアドレスとを関連付けて記憶する。
【００２３】
次いで、参加者端末５０が、メッセージを本サーバ１０へ送信する。この際、メッセージは、参加者端末５０がメッセージ送信要求を本サーバ１０へ行い、これに応じて本サーバ１０より送信（返信）されたメッセージ受付用フォームに入力されたメッセージを受け付けるものとする。
本サーバ１０は、メッセージを受信し、メッセージ識別情報（以下、「メッセージＩＤ」という。）を付与して、メッセージと、上記メッセージＩＤ、上記イベントＩＤ、及び上記メッセージ送信者の電子メールアドレスとを関連付けて記憶する。
【００２４】
また、イベント主催者端末３０が、イベントＩＤ及び上記主催者識別情報（パスワード）を伴い、メッセージの閲覧要求を本サーバ１０へ送信する。本サーバ１０は、メッセージの閲覧要求を受信し、上記主催者識別情報に基づいて閲覧可否の認証後、上記イベントＩＤに基づき当該イベントに対して受け付けたメッセージを抽出し、抽出したメッセージを閲覧可能なように上記イベント主催者端末３０へ送信する。
【００２５】
イベント主催者端末３０は、送信されたメッセージを主催者が閲覧可能なように出力する。そして、イベント主催者端末３０が、上記メッセージＩＤに対応付けて主催者が公開可否を決定した公開可否情報を少なくとも含むメッセージ公開情報を本サーバ１０へ送信する。
本サーバ１０は、上記メッセージ公開情報を受信し、公開可能なメッセージだけを抽出してメッセージ情報の編集を行なう。
その後、編集されたメッセージは、イベント会場等に設置したスクリーンやディスプレイに表示したり、ウェブ上に設けた専用ページ等で広く公開（紹介）したりする。
【００２６】
このようにイベント会場等に設置したスクリーンやディスプレイにメッセージが表示されれば、電報の場合ように時間の関係でメッセージの読み上げが割愛され、他の参加者に対してメッセージの内容が紹介されないということが無くなる。
また、編集されたメッセージは、メッセージカードとして個別に、または寄せ書き風に複数まとめてプリントアウトするようにしても良い。
【００２７】
また、本システムは、上映装置７０がイベント会場にてメッセージを上映し、上映したメッセージＩＤと共にその時刻情報を、本サーバ１０へ送信する。本サーバ１０は、上記メッセージＩＤとその時刻情報を受信し、これらを関連付けて記憶する。
一方、撮像装置９０が上記イベントの様子を撮影し、撮影したイベント画像情報と共にその時刻情報を、本サーバ１０へ送信する。本サーバ１０は、上記イベント画像情報とその時刻情報を受信し、これらを関連付けて記憶する。
【００２８】
そして、参加者端末５０が、上記メッセージＩＤを伴うイベント画像閲覧要求を本サーバ１０へ送信する。
本サーバ１０は、イベント画像の閲覧要求を受信し、上記メッセージＩＤに基づき時刻情報を特定し、さらに、イベント画像情報記憶手段を参照して上記時刻情報に基づきイベント画像情報を選択し、選択したイベント画像情報を閲覧可能なように上記参加者端末５０へ送信する。
そして、参加者端末５０では、本サーバ１０より送信された、少なくとも自分のメッセージが上映されている時のイベント会場の様子が撮影されたイベント画像情報を出力・表示し、参加者はこれを閲覧する。
【００２９】
また、本システムの構成において、本サーバ１０は、図示しないが、オペレーティングシステムやメッセージ編集支援プログラム、及びメッセージ編集支援の各種データを記憶するハードディスクを有し、このハードディスクからプログラムやデータを読み出すハードディスクユニットをも有する。そして、本サーバ１０は、ハードディスクから読み出されたプログラム及びデータに基づいて機能する。したがって、本サーバ１０では、本発明にかかるメッセージ編集支援プログラムが動作して、本サーバ１０内の各手段により、後述する情報処理を実現している。
【００３０】
イベント主催者端末３０は、イベントの開催を申し込む各種情報の入力を受け付け、本サーバ１０へ送信することが可能な情報処理装置であり、たとえば、パーソナルコンピュータなどで実現できる。
【００３１】
参加者端末５０は、登録されているイベント宛に送るメッセージの入力を受け付け、本サーバ１０へ送信することが可能な情報処理装置であり、たとえば、携帯電話機やパーソナルコンピュータなどで実現できる。
【００３２】
上映装置７０は、メッセージ情報を本サーバ１０より受信し、出力・表示することができる装置であり、たとえば、パーソナルコンピュータやプロジェクタなどで実現できる。また、上映装置７０は、上映時の現在時刻を測定して上映時刻情報を生成するクロック手段としての計時部を備えている。
【００３３】
撮像装置９０は、被写体を撮影して画像情報を取得することが可能な装置であり、たとえば、デジタルビデオカメラやカメラ付携帯電話機などを含む電子機器などで実現できる。また、撮像装置９０は、撮影時の現在時刻を測定して撮影時刻情報を生成するクロック手段としての計時部を備えている。
【００３４】
イベント情報受付部１１は、主催者識別情報を含むイベント開催申込み情報を上記イベント主催者端末３０から受信し、イベントを識別するためのイベントＩＤと共に、このイベントに対するメッセージを受け付けるための電子メールアドレスを発行し、上記イベントＩＤと上記電子メールアドレスを上記イベント主催者端末３０へ送信する処理を行う。受信したイベント開催申込み情報と、発行・付与されたイベントＩＤ及び電子メールアドレスは、下記のイベント情報記憶部１５へ送信する。
【００３５】
メッセージ受付部１２は、付与した電子メールアドレス宛のメッセージを上記参加者端末５０から受信し、受信したメッセージに対してメッセージＩＤを付与し、以下のイベント情報記憶部１５を参照して上記電子メールアドレスに基づき当該イベントＩＤを特定する処理を行う。受信したメッセージと、メッセージＩＤ、イベントＩＤ、及びメッセージ送信者の電子メールアドレスは、下記のメッセージ情報記憶部１６へ送信する。
また、メッセージ受付部１２は、上記電子メールアドレス宛のメッセージ送信要求を参加者端末５０から受信したことに応じ、所定の様式でメッセージを受け付けるメッセージ受付用フォームを上記参加者端末５０へ送信し、このメッセージ受付用フォームに入力されたメッセージを参加者端末５０から受信する処理も行う。この際、メッセージ送信要求は、上記参加者端末５０から受信した電子メールのボディ領域にメッセージが入力されていない空メールであっても良い。
さらに、メッセージ受付部１２は、参加者端末５０からのメッセージの受信に応じて、発行・付与したメッセージＩＤを上記参加者端末５０へ送信する処理も行う。
【００３６】
メッセージ閲覧要求受付部１３は、上記イベントＩＤ、及び上記主催者識別情報を伴い、このイベントに対して受け付けられたメッセージの閲覧要求を上記イベント主催者端末３０から受信し、主催者識別情報の認証後、メッセージ情報記憶部１６を参照して上記イベントＩＤに基づき当該イベントに対して受け付けたメッセージを抽出し、抽出したメッセージを閲覧可能なように上記イベント主催者端末３０へ送信する処理を行う。
また、メッセージ閲覧要求受付部１３は、上記主催者識別情報としてパスワードを受信し、イベント情報記憶部１５に記憶されているパスワードと照合した結果、上記パスワードが一致した場合に、メッセージの抽出を行なう処理も行う。
さらに、メッセージ閲覧要求受付部１３は、上記メッセージ閲覧許可情報を伴うメッセージ閲覧要求を参加者端末５０から受信し、公開メッセージ記憶部１７を参照して編集したメッセージを閲覧可能なように上記参加者端末５０へ送信する処理も行う。
【００３７】
公開用メッセージ編集部１４は、上記抽出したメッセージの送信に応じ、上記メッセージＩＤに対応付けて指定された公開可否情報を少なくとも含むメッセージ公開情報を上記イベント主催者端末３０から受信し、公開可能なメッセージだけを抽出して編集する処理を行う。編集したメッセージは、下記の公開メッセージ記憶部１７へ送信する。
また、公開用メッセージ編集部１４は、上記メッセージ公開情報として、さらに公開順序情報を上記イベント主催者端末３０から受信し、抽出したメッセージを公開順序情報に基づき並び替える処理も行う。
さらに、公開用メッセージ編集部１４は、公開可能なメッセージの編集に応じ、メッセージ情報記憶部１６を参照してメッセージＩＤに基づき参加者の電子メールアドレスを特定し、編集したメッセージが閲覧できる旨の通知と共に、メッセージ閲覧許可情報を上記参加者の電子メールアドレスに対して送信する処理も行う。
【００３８】
イベント情報記憶部１５は、上記イベント情報受付部１１にて受信したイベント開催申込み情報に、上記イベントＩＤと上記電子メールアドレスとを関連付けて記憶する
また、イベント情報記憶部１５は、予めイベント情報に関連付けてパスワードを記憶する。このパスワードは、イベント開催申込み時に、主催者が任意に設定してイベント開催申込み情報として本サーバへ送信したものであっても良いし、イベント開催申込み情報の受信に応じて本サーバ１０が発行・付与したものであっても良い。
このデータベースは、たとえば図３のような形で模式的に示すことが出来る。このイベント情報ＤＢには、イベントＩＤやイベント日時、主催者ＩＤ、主催者名、電話番号、ファクシミリ番号といった連絡先、パスワード、受付けた電子メールアドレス等の項目を管理する欄がそれぞれ設けられており、互いに関連付けて記憶されることを示している。
【００３９】
メッセージ情報記憶部１６は、上記メッセージ受付奉１２にて受信したメッセージと、上記メッセージＩＤ、上記イベントＩＤ、及び上記メッセージ送信者の電子メールアドレスとを関連付けて記憶する。
このデータベースは、たとえば図４のような形で模式的に示すことが出来る。このメッセージ情報ＤＢには、メッセージＩＤやメッセージ、送信者電子メールアドレス、イベントＩＤ等の項目を管理する欄がそれぞれ設けられており、互いに関連付けて記憶されることを示している。
【００４０】
公開メッセージ記憶部１７は、公開用メッセージ編集部１４で編集したメッセージだけをメッセージＩＤに関連付けて記憶する。
このデータベースは、たとえば図５のような形で模式的に示すことが出来る。この公開メッセージＤＢには、イベントＩＤやメッセージＩＤ、及びメッセージ等の項目を管理する欄がそれぞれ設けられており、互いに関連付けて記憶されることを示している。
【００４１】
メッセージ上映情報受付部２１は、メッセージをイベント会場にて上映した時刻情報を、メッセージ識別情報と共に上記上映装置７０から受信する処理を行う。受信したメッセージ識別情報と時刻情報は、下記のメッセージ上映情報記憶部２３へ送信する。
【００４２】
イベント画像受付部２２は、イベントの様子を撮影したイベント画像情報を、撮影した時刻情報と共に上記撮像装置９０から受信する処理を行う。受信したイベント画像情報と時刻情報は、下記のイベント画像情報記憶部２４へ送信する。また、撮像装置９０から画像情報を受け付けるための手段としては、フラッシュメモリカードなどの着脱式の外部メモリを介して行う方法の他、シリアルケーブルやＵＳＢケーブルによる有線接続、赤外線や無線電波による無線接続などの方法があり、その受け付け（接続）形態については特に限定されるものではない。
【００４３】
メッセージ上映情報記憶部２３は、メッセージ上映情報受付部２１にて受信したメッセージ識別情報と時刻情報とを関連付けて記憶する。
このデータベースは、たとえば図６のような形で模式的に示すことが出来る。このメッセージ上映情報ＤＢには、イベントＩＤやメッセージＩＤ、及びメッセージを上映した時刻情報等の項目を管理する欄がそれぞれ設けられており、互いに関連付けて記憶されることを示している。
【００４４】
イベント画像情報記憶部２４は、イベント画像受付部２２にて受信したイベント画像情報と時刻情報とを関連付けて記憶する。
このデータベースは、たとえば図７のような形で模式的に示すことが出来る。このイベント画像情報ＤＢには、イベントＩＤやイベント画像識別情報（以下、「イベント画像ＩＤ」という）、イベント画像、及びイベントを撮影した時刻情報等の項目を管理する欄がそれぞれ設けられており、互いに関連付けて記憶されることを示している。
【００４５】
イベント画像閲覧要求受付部２５は、イベント終了後、メッセージＩＤを伴うメッセージ閲覧要求を上記参加者端末５０から受信し、上記メッセージ上映情報記憶部２３を参照して上記メッセージＩＤに基づき時刻情報を特定し、さらに、イベント画像情報記憶部２４を参照して上記時刻情報に基づきイベント画像情報を選択し、選択したイベント画像情報を閲覧可能なように上記参加者端末５０へ送信する処理を行う。
【００４６】
以上のように構成された本システムにおいて、受信したメッセージの編集の例は、たとえば図８に示すように行うことが出来る。図８は、本方法の流れの一例を示すシーケンス図である。
まず、イベント主催者は、本システムを利用し、イベント主催者が利用するイベント主催者端末３０より、主催者識別情報を含むイベント開催申込み情報の入力を行い、本サーバ１０に対してイベント開催申込み情報を送信する（１１）。
ここで、イベント開催申込みは、たとえば図１８に示すように行うことが出来る。図１８は、本システムでのイベント開催申込みの画面の一例を示す図である。
図１８に示すイベント開催申込み画面１００は、イベント主催者が本サーバ１０にアクセスし、イベント開催申込みを要求することによりイベント主催者端末３０に表示されるものであり、結婚披露宴や同窓会といったイベントの種類を選択するイベント種類チェックボックス１０１、イベント会場名を入力するイベント会場欄１０２、イベントの開催日時を指定するイベント開催日時欄１０３、イベント主催者のお名前を入力するお名前欄１０４、お名前のふりがなをカタカナで入力するフリガナ欄１０５、イベント主催者の生年月日を西暦で入力する生年月日欄１０６、イベント主催者の住所を入力するご連絡先住所欄１０７、イベント主催者の電話番号を入力する電話番号欄１０８、イベント主催者の電子メールアドレスを入力するメールアドレス欄１０９、登録するパスワードを入力するパスワード登録欄１１０といった属性情報と共に、イベント開催申込みを申請する登録ボタン１１１、及び入力された属性情報の登録を取り止めるキャンセルボタン１１２を有する。この際、イベント種類が結婚披露宴の場合は、お名前欄１０４、フリガナ欄１０５、及び生年月日欄１０６に、新郎及び新婦の属性情報をそれぞれ入力する。なお、パスワード登録欄１１０は空欄のままでも良い。この場合は、サーバ１０側で任意にパスワードを設定・付与する。
そして、上記各欄に入力した内容でイベント開催申込みを行なう場合は、マウス等を用いて登録ボタン１１１をクリック（選択）する。一方、イベント開催申込みを取り止める場合は、同様にキャンセルボタン１１２をクリック（選択）する。
【００４７】
次いで、本サーバ１０は、イベント主催者端末３０より送信されたイベント開催申込み情報を受信する（１２）。
本サーバ１０は、イベント開催申込み情報の受信に応じて個々のイベントを識別するためのイベントＩＤを発行すると共に、イベント主催者ごとに専用の電子メールアドレスを付与し、また、イベント開催申込みが完了し、イベントＩＤ及び専用の電子メールアドレスが発行・付与されたことを、イベント主催者端末３０に対して通知するためのイベント開催申込み受付通知を送信する（１３）。
また、本サーバ１０は、受信したイベント開催申込み情報と、発行・付与したイベントＩＤ及び専用メールアドレスとを関連付けてイベント情報記憶部１５のイベント情報ＤＢに記憶する（１４）。
【００４８】
イベント主催者端末３０は、本サーバ１０より送信されたイベント開催申込み受付通知を受信する（１５）。
ここで、イベント開催申込み受付通知は、たとえば図１９に示すことが出来る。図１９は、本システムでのイベント開催申込み通知の一例を示す図である。
図１９に示すイベント開催申込み通知１２０は、イベント開催申込み情報の送信によって発行されたイベントＩＤを示すイベントＩＤ表示部１２１と、登録内容や受付けたメッセージ等を確認する際の認証情報として用いるPASSSWORDを示すPASSSWORD表示部１２２を有する。ここでは、イベント開催申込みによって、イベントＩＤ「０００００１」が付与され、PASSSWORD「ＢＩＲＤ」が設定されたことを示している。
【００４９】
一方、イベント開催申込みによって付与されたメッセージ受付け用の専用電子メールアドレスは、別途イベント主催者が指定した、イベントに参加して欲しい参加者候補へ連絡される。さらに、上記参加者候補へは、前記専用電子メールアドレスの入力作業を要すること無くメッセージの受付けを可能とする二次元コードも併せて発行する。この二次元コードは、メッセージを受け付けるための専用サイトへ接続するＵＲＬ（Uniform Resource Locator）情報が格納されている。
ここで、専用電子メールアドレス等の通知は、たとえば図２０に示すことが出来る。図２０は、イベントが結婚披露宴である場合に、上記参加者候補へメッセージ受付け用の専用電子メールアドレスを連絡する招待状としてのウェディングカードの一例を示す図である。
図２０に示すウェディングカード１３０は、「皆様からのお祝いメッセージと写真を下記アドレス宛に空メール後、ご応募ください。記念の寄せ書きとして新郎新婦にプレゼントいたします。」といった挨拶文と共に、空メールの送信先を示す専用電子メールアドレス表示部１３１と、メッセージ受付け専用サイトのＵＲＬを示す二次元コード表示部１３２を有する。ここでは、専用電子メールアドレス「happy＠mmb.jp」が発行されたことを示している。
【００５０】
これにより、イベント主催者は、ウェディングカード（招待状）を上記参加者候補へ送ることで、メッセージ受付用専用電子メールアドレスやメッセージ受付け専用サイトのＵＲＬを知らせることができる。また、ウェディングカードを（招待状）を送らない人に対しては、メッセージ受付用専用電子メールアドレスやメッセージ受付け専用サイトのＵＲＬを電子メールによって知らせることが出来る。勿論、ベント主催者からメッセージ受付用専用電子メールアドレスやメッセージ受付け専用サイトのＵＲＬを知らせる連絡を受けた人が、イベント主催者が連絡先を知らずに未だ連絡をしていない友人や知人にこの電子メールアドレスやＵＲＬを教えても良い。
【００５１】
また、ウェディングカードを受け取った参加者候補であって、イベント（結婚披露宴）に参加できない人や、イベントに参加するけどメッセージの送信を希望するメッセージ送信者は、参加者端末５０による電子メールの宛先欄へ専用電子メールアドレスを入力し、電子メールのボディ領域にメッセージが入力されていない空メールを送信したりすることで、メッセージ受付要求を本サーバ１０へ送信する（１６）。また、二次元コード読み取り機能付の参加者端末５０で二次元コードを読み取ることでメッセージ受付け専用サイトのＵＲＬへアクセスし、たとえばメッセージ送信希望ボタンをクリック（選択）することで、空メールを送信したのと同様に、メッセージ受付要求を本サーバ１０へ送信するようにしても良い。
【００５２】
そして、本サーバ１０は、メッセージ受付要求を上記参加者端末５０から受信したことに応じ、所定の様式でメッセージを受け付けるメッセージ受付用フォームを上記参加者端末５０へ送信（返信）する（１７）。
ここで、メッセージ受付用フォームは、たとえば図２１に示すことが出来る。図２１は、イベントが結婚披露宴である場合に、お祝いメッセージを新郎新婦宛へ送るメッセージ受付用フォーム画面の一例を示す図である。
図２１に示すメッセージ受付用フォーム画面１４０は、メッセージを入力するメッセージ入力欄１４１と、メッセージ送信者の名前を入力する名前入力欄１４２と、メッセージ送信者の顔写真を貼り付ける画像添付欄１４３と、画像添付欄１４３に貼り付ける画像を指定する添付ボタン１４４を有する（図２１（ａ）参照）。
【００５３】
メッセージ送信者は、参加者端末５０よりメッセージ等を入力し、本サーバ１０へ送信する（１８）。ここでは、メッセージ受付用フォームのメッセージ入力欄１４１に「ご結婚おめでとうございます。早くお二人の子供の顔がみたいです。末永くお幸せに。」といったメッセージが入力され、名前入力欄１４２に「田中真紀子」といったメッセージ送信者の名前が入力され、画像添付欄１４３にメッセージ送信者である田中真紀子さんの顔写真が添付されていることを示している（図２１（ｂ）参照）。なお、画像添付欄１４３に写真を添付することを望まない人のために、数種類のイラストを準備しておいても良い。
【００５４】
本サーバ１０は、メッセージを上記参加者端末５０から受信し、受信したメッセージに対してメッセージＩＤを付与する（１９）。
引き続き本サーバ１０は、イベント情報記憶部１５を参照して、宛先の電子メールアドレスに基づき当該イベントＩＤを特定する（２０）。
そして、本サーバ１０は、受信したメッセージと、付与したメッセージID、特定したイベントＩＤ、及び受信した発信人(メッセージ送信者)メールアドレスとを関連付けてメッセージ情報記憶部１６のメッセージ情報ＤＢに記憶する（２１）。
また、本サーバ１０は、メッセージに対して付与したメッセージＩＤを伴うメッセージ受付通知を上記参加者端末５０へ送信する（２２）。
【００５５】
また、イベント開催日が近づきメッセージの受付けが締め切られると、イベント主催者（イベントが結構披露宴であれば、新郎と新婦）は、イベント主催者端末３０より、イベントＩＤ、及び上記主催者識別情報として例えばパスワードを伴い、このイベントに対して受け付けられたメッセージの閲覧要求を本サーバ１０へ送信する（２３）。
【００５６】
本サーバ１０は、イベント主催者端末３０から送信されたメッセージの閲覧要求を受信する（２４）。
また、本サーバ１０は、メッセージの閲覧要求の受信に応じ、イベント情報記憶部１５を参照し、予めイベント情報に関連付けて記憶されたパスワードと、主催者識別情報として受信したパスワードとを照合し、両者が一致するか否か確認をする（２５）。
そして、本サーバ１０は、パスワードが一致した場合に引き続き、メッセージ情報記憶部１６を参照して上記イベントＩＤに基づき当該イベントに対して受け付けたメッセージを抽出し、抽出したメッセージを閲覧可能なように上記イベント主催者端末３０へ送信する（２６）。
【００５７】
イベント主催者端末３０は、本サーバ１０から送信された、抽出したメッセージを受信し、主催者が閲覧可能なように出力して、当該メッセージをイベントで公開しても良いか否か決定する公開可否決定情報の入力を受付ける（２７）。
イベント主催者端末３０は、メッセージの公開可否決定情報を受付け、これを本サーバ１０へ送信する（２８）。
【００５８】
本サーバ１０は、イベント主催者端末３０から送信された、公開可否決定情報を受信する（２９）。
そして、本サーバ１０は、上記公開可否決定情報に基づき、公開可能なメッセージだけを抽出して編集し、編集したメッセージだけをメッセージＩＤに関連付けて公開メッセージ記憶部１７に記憶する。この際、公開可否決定情報以外のメッセージ公開情報として、公開順序情報を上記イベント主催者端末３０から受信した場合は、抽出したメッセージを公開順序情報に基づき並び替えることを行なう（３０）。
【００５９】
したがって、イベントに参加できない人達やイベントに参加している人からも受け付けたメッセージをイベント会場等で公開する場合において、イベント会場での雰囲気やその進行状況を考慮して、メッセージの公開可否や公開順序を決定するので、メッセージの公開によってイベントでの演出効果を高め、イベントに参加している人とイベントに参加できない人との間に一体感を感じ得ることが出来るようにメッセージの編集を支援することができる。
【００６０】
次に、以上のような構成の本システムにおいて、受信したメッセージの編集の例での本サーバ１０の動作の一例を説明する。図９は、その流れを示すフローチャート図である。
図９に示すように、まず、イベント情報受付部１１が、主催者識別情報を含むイベント開催申込み情報を受信したか否か判断する（Ｓ１１）。
【００６１】
その結果、イベント情報受付部１１が、上記イベント開催申込み情報を受信した場合（Ｙ）、イベント情報受付部１１は引き続き、イベントを識別するためのイベントＩＤと共に、このイベントに対するメッセージを受け付けるための電子メールアドレスを発行し、発行した上記イベントＩＤと上記電子メールアドレスを上記イベント開催申込み情報送信者（イベント主催者）端末に対して返信して、イベント開催申込みが完了したことを通知する（Ｓ１２）。
また、イベント情報受付部１１は、受信したイベント開催申込み情報と、発行・付与したイベントＩＤ及び専用メールアドレスをイベント情報記憶部１５へ送信し、イベント情報記憶部１５は、上記イベント開催申込み情報に、上記イベント識別情報と上記電子メールアドレスとを関連付けてイベント情報ＤＢに記憶する（Ｓ１３）。
【００６２】
一方、イベント情報受付部１１が、上記イベント開催申込み情報を受信していない場合（Ｎ）は、次に、メッセージ受付部１２が、メッセージの送信要求を受信したか否か判断する（Ｓ１４）。
【００６３】
その結果、メッセージ受付部１２が、メッセージ送信要求を受信した場合（Ｙ）、メッセージ受付部１２は、メッセージ送信要求の受信に応じ、所定の様式でメッセージを受け付けるメッセージ受付用フォームを、上記メッセージ送信要求送信者（参加者）端末に対して送信（返信）する（Ｓ１５）。
メッセージ受付用フォームの送信後、引き続きメッセージ受付部１２は、上記イベント情報受付部１１が、事前に付与した専用の電子メールアドレス宛のメッセージを受信したか否か判断する（Ｓ１６）。
【００６４】
その結果、メッセージ受付部１２が、メッセージを受信した場合（Ｙ）、メッセージ受付部１２は受信したメッセージに対してメッセージＩＤを付与し、イベント情報記憶部１５を参照して上記電子メールアドレス（宛先の電子メールアドレス）に基づき当該イベントＩＤを特定する（Ｓ１７）。この際、メッセージ受付部１２は、送信されたメッセージに対して付与したメッセージＩＤを伴うメッセージ受付通知を、上記メッセージ送信者（参加者）の端末に対して送信する。
また、メッセージ受付部１２は、受信したメッセージと、発行・付与したメッセージＩＤ、特定したイベントＩＤ、及び上記メッセージ送信者の電子メールアドレスをメッセージ情報記憶部１６へ送信し、メッセージ情報記憶部１６は、上記メッセージと、上記メッセージ識別情報、上記イベント識別情報、及び上記電子メールアドレスとを関連付けてメッセージ情報ＤＢに記憶する（Ｓ１８）。
また、メッセージ受付部１２が、メッセージを受信していない場合（Ｎ）は、そのまま本サーバ１０での一連の動作は終了（エンド）する。
【００６５】
一方、メッセージ受付部１２が、メッセージの送信要求を受信していない場合（Ｎ）は、次に、メッセージ閲覧要求受付部１３が、このイベントに対して受け付けられたメッセージの閲覧要求を受信したか否か判断する（Ｓ１９）。
【００６６】
その結果、メッセージ閲覧要求受付部１３が、メッセージ閲覧要求を受信した場合（Ｙ）、メッセージ閲覧要求受付部１３は、受信したメッセージ閲覧要求に含まれるイベントＩＤ及びパスワード等の主催者識別情報に基づきイベント情報記憶部１５を参照し、認証ＯＫか否か、このイベント情報記憶部１５に記憶されている、例えばパスワードと照合する（Ｓ２０）。
その結果、上記パスワードが一致した場合（Ｙ）、メッセージ閲覧要求受付部１３は、メッセージ情報記憶部１６を参照して上記イベントＩＤに基づき当該イベントに対して受け付けたメッセージを抽出し、このメッセージを上記メッセージ閲覧要求送信者（イベント主催者）端末に対して閲覧可能なように送信する（Ｓ２１）。
また、メッセージ閲覧要求受付部１３での認証の結果、上記パスワードが一致しない場合（Ｎ）は、そのまま本サーバ１０での一連の動作は終了（エンド）する。
【００６７】
次に、メッセージ閲覧要求に応じて抽出したメッセージを送信した後、公開用メッセージ編集部１４が、公開可否情報を少なくとも含むメッセージ公開情報を受信したか否か判断する（Ｓ２２）。
【００６８】
その結果、公開用メッセージ編集部１４が、メッセージ公開情報を受信した場合（Ｙ）、公開用メッセージ編集部１４は、上記メッセージ公開情報に含まれる、メッセージＩＤに対応付けて指定された公開可否情報に従って、抽出したメッセージの中から公開可能なメッセージだけを抽出し、並び替え等編集を行なう（Ｓ２３）。
また、公開用メッセージ編集部１４が、メッセージ公開情報を受信していない場合（Ｎ）は、そのまま本サーバ１０での一連の動作は終了（エンド）する。
【００６９】
また、公開用メッセージ編集部１４は、メッセージ公開情報に基づくメッセージの編集終了後、編集したメッセージを公開メッセージ記憶部１７へ送信する。
公開メッセージ記憶部１７は、公開用メッセージ編集部１４から送信されたメッセージを受信し、編集したメッセージだけをメッセージＩＤに関連付けて記憶する。
そして、本サーバ１０での一連の動作は終了（エンド）する。
【００７０】
一方、メッセージ閲覧要求受付部１３が、メッセージ閲覧要求を受信していない場合（Ｎ）は、そのまま本サーバ１０での一連の動作は終了（エンド）する。
【００７１】
このように、イベント開催申込み情報の受付けに伴って当該イベントに対応する専用の電子メールアドレスを発行し、当該電子メールアドレス宛のメッセージ送信要求をメールボックスごとに管理することで、ウェブ上にメッセージを受付けるための専用の領域である、いわゆるマイページを設けたり、煩雑な作業を要したりすることなく、簡単かつ確実にメッセージを受取人ごとに仕分けることができる。
また、受け付けたメッセージを事前にチェックし、イベント会場での雰囲気やその進行状況を考慮して、メッセージの公開可否や公開順序を決定するメッセージの編集を行なうので、イベント会場での雰囲気を壊すことなく、参加者の気持ちに配慮した演出が行なわれることとなる。しかも、上記電子メールアドレスと関連付けられた、イベント識別情報と主催者識別情報に基づいて該当するメッセージを抽出し、閲覧を許可するものであるので、他人宛のメッセージを誤って閲覧してしまうことも無い。
さらに、イベント会場では公表できない、いわゆる内輪ネタメッセージの場合、事前にメッセージの公開拒否編集が行なわれてしまうが、メッセージの内容は事前にチェックしているので、メッセージ送信者の気持ちをメッセージ受取人へちゃんと伝えることができる。
したがって、メッセージの公開によってイベントでの演出効果を高め、イベントに参加している人とイベントに参加できない人との間に一体感を感じ得ることが出来るようにメッセージの編集を支援することができる。
【００７２】
また、本システムは、編集したメッセージを、たとえば図１０又は図１１に示すように利用することが出来る。図１０は、編集したメッセージの利用の第一例を示すシーケンス図であり、図１１は、編集したメッセージの利用の第二例を示すシーケンス図である。
まず、編集したメッセージの利用の第一例では、本サーバ１０は、メッセージ公開情報に基づき、公開可能なメッセージだけを抽出し、並び替え等編集を行なう（３０）。
その後、イベント主催者は、本システムを利用し、イベント主催者が利用するイベント主催者端末３０より、たとえば、メッセージが個別に表示されたメッセージカードとするか、またはメッセージが複数まとめて表示された寄せ書き風にするか書式を指定し、本サーバ１０に対してプリントアウト要求を送信する（３１）。
ここで、メッセージカードは、たとえば図２２に示すことが出来る。図２２は、イベントが結婚披露宴である場合に、個別にメッセージを表示したメッセージカードの一例を示す図である。
図２２に示すメッセージカード１５０は、メッセージ送信者の名前とメッセージ、及び顔写真により構成されたメッセージ表示部１５１を有する。ここでは、メッセージ送信者として「田中真紀子」さんが、顔写真と共に、「ご結婚おめでとうございます。早くお二人の子供の顔がみたいです。末永くお幸せに。」といったメッセージを送ったことを示している。
一方、寄せ書きは、たとえば図２３に示すことが出来る。図２３は、イベントが結婚披露宴である場合に、複数まとめてメッセージを表示した寄せ書きの一例を示す図である。
図２３に示す寄せ書き１６０は、メッセージ送信者の名前とメッセージ、及び顔写真により構成されたメッセージ表示部１６１と、イベント主催者である新郎と新婦の結婚披露宴での写真を表示した写真表示部１６２とを有する。
【００７３】
次に、本サーバ１０は、イベント主催者端末３０より送信されたプリントアウト要求を受信し、希望の書式に応じたプリントアウト情報をイベント主催者端末３０に対して送信する（３２）。
そして、イベント主催者端末３０は、本サーバ１０より送信されたプリントアウト情報を受信し、イベント主催者端末３０と通信可能に接続された、例えばプリンタ等の出力装置（不図示）を用いて、プリントアウト情報（編集メッセージ）を出力する（３３）。
そして、このプリントアウトしたメッセージカードや寄せ書きは、参加者に対して記念品として配布するようにしても良いし、イベント主催者ではなく、参加者側よりプリントアウト要求を行い、編集メッセージを出力したメッセージカードや寄せ書きをイベント主催者へプレゼントするようにしても良い。
これにより、イベント終了後ゆっくりとメッセージを読み返すことで、このメッセージによってイベントに参加できない人に対しても参加者と同じ一体感を感じ得て、再び感動に浸ることが出来る。
【００７４】
次に、編集したメッセージの利用の第二例では、本サーバ１０は、メッセージ公開情報に基づき、公開可能なメッセージだけを抽出し、並び替え等編集を行なう（３０）。
その後、本サーバ１０は、イベント会場に設置された通信端末（不図示）より編集メッセージの送信要求、又はイベント主催者端末３０よりイベント会場に設置された通信端末（不図示）への編集メッセージの送信指示要求、もしくはイベント主催者端末３０より持ち運び容易な記録媒体（例えば、ＤＶＤ）への編集メッセージの保存要求を受信する（４１）。
そして、本サーバ１０は、要求に応じて編集メッセージを、イベント会場に設置された通信端末へ送信したり、持ち運び容易な電子記録媒体へ保存したりする（４２）。
その後、イベント会場に設置された通信端末は、本サーバ１０より送信された編集メッセージを受信し、上記通信端末と通信可能に接続された上映装置を用いて、イベント会場にてメッセージを上映する（４３）。
【００７５】
次に、本システムにおいて、編集したメッセージの利用の例での本サーバ１０の動作の一例を説明する。図１２は、その流れを示すフローチャート図である。
図１２に示すように、まず、公開用メッセージ編集部１４が、メッセージ公開情報に含まれるメッセージＩＤに対応付けて指定された公開可否情報に従って、抽出したメッセージの中から公開可能なメッセージだけを抽出し、並び替え等編集を行なう（Ｓ２３）。
次いで、公開用メッセージ編集部１４が、編集したメッセージを出力するプリントアウト要求を受信したか否か判断する（Ｓ３１）。
【００７６】
その結果、公開用メッセージ編集部１４が、プリントアウト要求を受信した場合（Ｙ）、公開用メッセージ編集部１４は、編集したメッセージを出力するためのプリントアウト情報を所定の出力装置（プリンタ）へ送信する（Ｓ３２）。
【００７７】
一方、公開用メッセージ編集部１４が、プリントアウト要求を受信していない場合（Ｎ）は、次に、公開用メッセージ編集部１４が、編集したメッセージの送信要求又は保存要求を受信したか否か判断する（Ｓ４１）。
【００７８】
その結果、公開用メッセージ編集部１４が、編集したメッセージの送信要求又は保存要求を受信した場合（Ｙ）、公開用メッセージ編集部１４は、所定の送信指示先へ編集したメッセージ情報を送信するか、又は電子記録媒体がセットされた所定のディスクドライブへ編集したメッセージ情報を送信し、該電子記録媒体へメッセージ情報を保存する（Ｓ４２）。
そして、本サーバ１０での一連の動作は終了（エンド）する。
【００７９】
一方、公開用メッセージ編集部１４が、編集したメッセージの送信要求又は保存要求を受信していない場合（Ｎ）は、そのまま本サーバ１０での一連の動作は終了（エンド）する。
【００８０】
また、本システムは、編集したメッセージを、たとえば図１３に示すように利用することも出来る。図１３は、編集したメッセージの利用の第三例を示すシーケンス図である。
まず、編集したメッセージの利用の第三例では、本サーバ１０は、メッセージ公開情報に基づき、公開可能なメッセージだけを抽出し、並び替え等編集を行なう（３０）。
次いで、本サーバ１０は、公開可能なメッセージの編集に応じ、上記メッセージ情報記憶部１６を参照して上記メッセージＩＤに基づき参加者の電子メールアドレスを特定し、編集したメッセージが閲覧できる旨の通知と共に、メッセージ閲覧許可情報を含むメッセージ閲覧許可通知を上記参加者の電子メールアドレス（参加者端末５０）に対して送信する（５１）。
【００８１】
その後、メッセージ送信者は、本システムを利用し、メッセージ送信者が利用する参加者端末５０にて、メッセージ閲覧許可通知を受信する（５２）。
参加者端末５０は、メッセージ閲覧許可通知の受信に応じ、メッセージ閲覧要求を本サーバ１０に対して送信する（５３）。
【００８２】
本サーバ１０は、メッセージ閲覧要求を上記参加者端末５０から受信する（５４）。
次いで、本サーバ１０は、公開メッセージ記憶部を参照して、編集したメッセージを閲覧可能なように上記参加者端末５０へ送信する（５５）。
また、参加者端末５０は、本サーバ１０より送信されたメッセージ情報を受信する（５６）。
そして、参加者端末５０は、受信した編集済みのメッセージ情報を出力し、閲覧する（５７）。
【００８３】
次に、本システムにおいて、編集したメッセージの利用の第三例での本サーバ１０の動作の一例を説明する。図１４は、その流れを示すフローチャート図である。
図１４に示すように、まず、公開用メッセージ編集部１４が、メッセージ公開情報に含まれるメッセージＩＤに対応付けて指定された公開可否情報に従って、抽出したメッセージの中から公開可能なメッセージだけを抽出し、並び替え等編集を行なう（Ｓ２３）。
次いで、公開可能なメッセージの編集に応じ、公開用メッセージ編集部１４が、上記メッセージ情報記憶部１６を参照して上記メッセージＩＤに基づき参加者の電子メールアドレスを特定し、編集したメッセージが閲覧できる旨の通知と共に、メッセージ閲覧許可情報を上記参加者の電子メールアドレスに対して送信する（Ｓ５１）。
【００８４】
次いで、メッセージ閲覧要求受付部１３が、メッセージ閲覧許可情報を伴うメッセージ閲覧要求を受信したか否か判断する（Ｓ５２）。
その結果、メッセージ閲覧要求受付部１３が、メッセージ閲覧許可情報を伴うメッセージ閲覧要求を受信した場合（Ｙ）、メッセージ閲覧許可情報に基づき認証ＯＫか否か照合する（Ｓ５３）。
その結果、認証ＯＫであれば（Ｙ）、メッセージ閲覧要求受付部１３は、公開メッセージ記憶部１７を参照して編集したメッセージを上記参加者端末へ送信する上記メッセージ閲覧要求送信者（参加者者）端末に対して閲覧可能なように送信する（Ｓ５４）。
また、メッセージ閲覧要求受付部１３での認証の結果、上記メッセージ閲覧許可情報が一致しない場合（Ｎ）は、そのまま本サーバ１０での一連の動作は終了（エンド）する。
【００８５】
一方、メッセージ閲覧要求受付部１３が、メッセージ閲覧要求を受信していない場合（Ｎ）は、そのまま本サーバ１０での一連の動作は終了（エンド）する。
【００８６】
これにより、今までであればイベントに参加しなければ他人のメッセージを知ることができなかったのが、イベントに参加できなかった人であっても、イベント終了後に他人のメッセージを知ることができるので、まるで自分もイベントに参加したような気分を味わうことができ、イベントに参加している人と一体感を感じ得ることが出来るようになる。
【００８７】
また、本システムは、編集したメッセージを、たとえば図１５に示すように利用することも出来る。図１５は、編集したメッセージの利用の第四例を示すシーケンス図である。
まず、編集したメッセージの利用の第四例では、本サーバ１０は、メッセージ公開情報に基づき、公開可能なメッセージだけを抽出し、並び替え等編集を行ない、イベント会場に設置された通信端末（不図示）より編集メッセージの送信要求、又はイベント主催者端末３０よりイベント会場に設置された通信端末（不図示）への編集メッセージの送信指示要求、もしくはイベント主催者端末３０より持ち運び容易な記録媒体（例えば、ＤＶＤ）への編集メッセージの保存要求を受信する（６０Ａ）。
次いで、本サーバ１０は、要求に応じて編集メッセージを、イベント会場に設置された通信端末へ送信したり、運び容易な記録媒体へ保存したりする（６０Ｂ）。
そして、イベント会場に設置された通信端末は、本サーバ１０より送信された編集メッセージを受信し、又は編集メッセージが保存された記録媒体を受け、上記通信端末と通信可能に接続された上映装置にて、イベント会場にてメッセージを上映可能な状態とする（６０Ｃ）。
【００８８】
次に、撮像装置９０は、イベントの様子を撮影する（６１）。
一方、上映装置７０は、イベント会場にてメッセージを上映する（６２）。
上映装置７０は、イベント会場にて上映したメッセージの時刻情報を、上映したメッセージのメッセージＩＤと共に取得する（６３）。
また、上映装置７０は、メッセージ上映後、メッセージＩＤと時刻情報を本サーバ１０に対して送信する（６４）。
【００８９】
本サーバ１０は、イベント会場にて上映した時刻情報を、メッセージＩＤと共に上記上映装置７０から受信する（６５）。
引き続き本サーバ１０は、受信したメッセージＩＤと時刻情報とを関連付けてメッセージ上映情報記憶部２３のメッセージ上映情報ＤＢに記憶する（６６）。
【００９０】
また、撮像装置９０は、イベント会場を撮影したイベント画像情報を、撮影した時刻情報と共に取得する（６７）。
撮像装置９０は、イベントの撮影後、イベント画像情報と時刻情報を本サーバ１０に対して送信する（６８）。
【００９１】
本サーバ１０は、イベントの様子を撮影したイベント画像情報と時刻情報を上記撮像装置９０から受信する（６９）。
引き続き本サーバ１０は、受信したイベント画像情報と時刻情報とを関連付けてイベント画像情報記憶部２４のイベント画像情報ＤＢに記憶する（７０）。
【００９２】
また、本システムは、編集したメッセージに伴って取得したイベント画像を、たとえば図１６に示すように利用することも出来る。図１６は、編集したメッセージの利用の第五例を示すシーケンス図である。
まず、たとえばイベントに参加できずにメッセージを送信した者は、メッセージの編集後、本サーバ１０よりメッセージＩＤを参加者端末５０にて予め受信する（８０Ａ）。
【００９３】
次に、本サーバ１０は、上映装置７０から受信したメッセージＩＤと時刻情報とを関連付けてメッセージ上映情報記憶部２３のメッセージ上映情報ＤＢに記憶する（８０Ｂ）。
また、本サーバ１０は、撮像装置９０から受信したイベント画像情報と時刻情報とを関連付けてイベント画像情報記憶部２４のイベント画像情報ＤＢに記憶する（８０Ｃ）。
メッセージ送信後の参加者端末５０は、本サーバ１０より受信したメッセージＩＤを伴うイベント画像閲覧要求を本サーバ１０へ送信する（８１）。
【００９４】
本サーバ１０は、上記メッセージＩＤを伴うイベント画像閲覧要求を上記参加者端末５０から受信する（８２）。
本サーバ１０は、イベント画像閲覧要求の受信に応じて、メッセージ上映情報記憶部２３を参照し、上記イベント画像閲覧要求に含まれるメッセージＩＤに基づき時刻情報を特定する（８３）。
引き続き本サーバ１０は、イベント画像情報記憶部２４を参照して、特定した上記時刻情報に基づきイベント画像情報を選択する（８４）。
そして、本サーバ１０は、選択したイベント画像情報を、閲覧可能なように上記参加者端末５０へ送信する（８５）。
【００９５】
一方、参加者端末５０は、本サーバ１０より送信されたイベント画像情報を受信する（８６）。
そして、参加者端末５０は、受信したイベント画像情報を出力し、閲覧する（８７）。
【００９６】
次に、本システムにおいて、編集したメッセージに伴って取得したイベント画像の利用における本サーバ１０の動作の一例を説明する。図１７は、その流れを示すフローチャート図である。
図１７に示すように、まず、メッセージ上映情報受付部２１が、メッセージＩＤと共に、上記メッセージをイベント会場にて上映した時刻情報を受信したか否か判断する（Ｓ６１）。
その結果、メッセージ上映情報受付部２１が、メッセージＩＤと時刻情報を受信した場合（Ｙ）、メッセージ上映情報受付部２１はメッセージＩＤと時刻情報をメッセージ上映情報記憶部２３へ送信し、メッセージ上映情報記憶部２３は、メッセージＩＤと時刻情報とを関連付けてメッセージ上映情報ＤＢに記憶する（Ｓ６２）。
【００９７】
一方、メッセージ上映情報受付部２１が、メッセージＩＤと時刻情報を受信していない場合（Ｎ）は、次に、イベント画像受付部２２が、イベントの様子を撮影したイベント画像情報と共に、上記撮影した時刻情報を受信したか否か判断する（Ｓ７１）。
その結果、イベント画像受付部２２が、イベント画像情報と時刻情報を受信した場合（Ｙ）、イベント画像受付部２２はイベント画像情報と時刻情報をイベント画像情報記憶部２４へ送信し、イベント画像情報記憶部２４は、イベント画像情報と時刻情報とを関連付けてイベント画像情報ＤＢに記憶する（Ｓ７２）。
【００９８】
一方、イベント画像受付部２２が、イベント画像情報と時刻情報を受信していない場合（Ｎ）は、次に、イベント画像閲覧要求受付部２５が、メッセージＩＤを伴うメッセージ閲覧要求を受信したか否か判断する（Ｓ８１）。
その結果、イベント画像閲覧要求受付部２５が、メッセージ閲覧要求を受信した場合（Ｙ）、イベント画像閲覧要求受付部２５は、上記メッセージ上映情報記憶部２３を参照して上記メッセージＩＤに基づき時刻情報を特定する（Ｓ８２）。
次いで、イベント画像閲覧要求受付部２５は、引き続きイベント画像情報記憶部２４を参照して特定した上記時刻情報に基づきイベント画像情報を選択する（Ｓ８３）。
そして、イベント画像閲覧要求受付部２５は、選択したイベント画像情報を閲覧可能なように上記メッセージ閲覧要求を送信した端末（参加者端末５０）へ送信する（Ｓ８４）。
そして、本サーバ１０での一連の動作は終了（エンド）する。
【００９９】
一方、イベント画像閲覧要求受付部２５が、メッセージ閲覧要求を受信していない場合（Ｎ）は、そのまま本サーバ１０での一連の動作は終了（エンド）する。
【０１００】
このように本発明によれば、今までであればメッセージを送信してもそのままで終わっていたのが、メッセージ送信者は、自分のメッセージが上映されている時のイベント会場の様子を容易に確認することができるので、イベント画像の閲覧によってまるで自分もイベントに参加しているような気分を味わうことができ、イベントに参加している人と一体感を感じ得ることが出来るようになる。
【図面の簡単な説明】
【０１０１】
【図１】本発明の実施の形態に係るメッセージ編集支援方法を実施するためのシステムの一例を概略的に示す全体構成図である。
【図２】本発明に係るメッセージ編集支援装置の構成を簡略的に示すブロック図である。
【図３】本発明に係るメッセージ編集支援装置内のイベント情報データベースに記憶されている情報の例を示す模式図である。
【図４】本発明に係るメッセージ編集支援装置内のメッセージ情報データベースに記憶されている情報の例を示す模式図である。
【図５】本発明に係るメッセージ編集支援装置内の公開情報データベースに記憶されている情報の例を示す模式図である。
【図６】本発明に係るメッセージ編集支援装置内のメッセージ上映情報データベースに記憶されている情報の例を示す模式図である。
【図７】本発明に係るメッセージ編集支援装置内のイベント画像情報データベースに記憶されている情報の例を示す模式図である。
【図８】本発明に係るメッセージ編集支援方法の流れの一例を示すシーケンス図である。
【図９】本発明に係るメッセージ編集支援装置における処理の一例を示すフローチャート図である。
【図１０】図８に示すメッセージ編集支援方法の続きの流れの第一例を示すシーケンス図である。
【図１１】図８に示すメッセージ編集支援方法の続きの流れの第二例を示すシーケンス図である。
【図１２】図９に示すメッセージ編集支援装置における処理の続きの第一例及び第二例を併せて示すフローチャート図である。
【図１３】図８に示すメッセージ編集支援方法の続きの流れの第三例を示すシーケンス図である。
【図１４】図９に示すメッセージ編集支援装置における処理の続きの第三例を示すフローチャート図である。
【図１５】図８に示すメッセージ編集支援方法の続きの流れの第四例を示すシーケンス図である。
【図１６】図８に示すメッセージ編集支援方法の続きの流れの第五例を示すシーケンス図である。
【図１７】図９に示すメッセージ編集支援装置における処理の続きの第四例及び第五例を併せて示すフローチャート図である。
【図１８】本発明に係るメッセージ編集支援装置により実施されるイベント開催申込みの一例を示すイメージ図である。
【図１９】本発明に係るメッセージ編集支援装置により送信されるイベント開催申込み受付通知の一例を示すイメージ図である。
【図２０】本発明に係るメッセージ編集支援装置により送信されるイベント招待状の一例を示すイメージ図である。
【図２１】本発明に係るメッセージ編集支援装置により送信されるメッセージ受付用フォームの一例を示すイメージ図である。
【図２２】本発明に係るメッセージ編集支援方法により編集したメッセージを出力したメッセージカードの一例を示すイメージ図である。
【図２３】本発明に係るメッセージ編集支援方法により編集したメッセージを出力した寄せ書きの一例を示すイメージ図である。
【符号の説明】
【０１０２】
ＮＷ  通信ネットワーク、１０  メッセージ編集支援装置、３０  イベント主催者端末、５０  参加者（メッセージ送信者）端末、７０  上映装置、９０  撮影装置。
【図１】
2008015588.tif 000003
【図２】
2008015588.tif 000004
【図３】
2008015588.tif 000005
【図４】
2008015588.tif 000006
【図５】
2008015588.tif 000007
【図６】
2008015588.tif 000008
【図７】
2008015588.tif 000009
【図８】
2008015588.tif 000010
【図９】
2008015588.tif 000011
【図１０】
2008015588.tif 000012
【図１１】
2008015588.tif 000013
【図１２】
2008015588.tif 000014
【図１３】
2008015588.tif 000015
【図１４】
2008015588.tif 000016
【図１５】
2008015588.tif 000017
【図１６】
2008015588.tif 000018
【図１７】
2008015588.tif 000019
【図１８】
2008015588.tif 000020
【図１９】
2008015588.tif 000021
【図２０】
2008015588.tif 000022
【図２１】
2008015588.tif 000023
【図２２】
2008015588.tif 000024
【図２３】
2008015588.tif 000025